(57)【要約】【課題】従来の浴室乾燥装置では、使用者が衣類量や外気温度から乾燥時間を推測して設定した乾燥時間と実際の乾燥時間が異なった場合には効率が悪くなる。また、衣類量にかかわらず同じ換気量で換気しているため、衣類量が多い場合には換気量が不足し、衣類量が少ない場合には換気量が過剰となる傾向にあった。【解決手段】循環用送風機と加熱手段と換気用送風機と制御部と、操作部と、を備えた浴室乾燥装置において、外気温度を検知する温度検出手段を備え、制御部は、温度検出手段から検出された外気温度および前記操作部から指示された衣類量の出力情報により、予め記憶させた外気温度と衣類量に基づき設定された複数の運転テーブルから適切な運転テーブルを選択設定し、換気用送風機の回転数および運転時間を制御する。【選択図】  図９
2004290504.tif 000002
【特許請求の範囲】
【請求項１】
浴室内に開口した吸込口から吸込んだ空気を再び浴室内に供給するための循環用送風機と、前記吸込口から吸込んだ空気を加熱させる加熱手段と、前記吸込口から吸込んだ空気を屋外へ排気させるための換気用送風機と、これら送風機および加熱手段を制御する制御部と、該制御部に指示を与える操作部と、を備えた浴室乾燥装置において、外気温度を検知する温度検出手段を備え、前記制御部は、前記温度検出手段から検出された外気温度および前記操作部から指示された衣類量の出力情報により、予め記憶させた外気温度と衣類量に基づき設定された運転テーブルから温度または衣類量に対応した運転テーブルを選択し、前記換気用送風機の回転数および運転時間を実行させることを特徴とする浴室乾燥装置。
【発明の詳細な説明】
【０００１】
【発明の属する技術分野】
本発明は、室内に温風を供給するための循環手段と、室内の空気を換気するための換気手段とを備え、両手段を駆動することにより乾燥運転を行う浴室乾燥装置に係り、特に衣類を効率よく乾燥するに好適な浴室乾燥装置に関する。
【０００２】
【従来の技術】
従来、室内にヒーターにより空気を暖め温風を供給するための循環用送風機を備えた循環手段と、室内の空気を換気用送風機にて換気する換気手段とを備えた浴室乾燥装置において、ヒーター、循環用送風機および換気用送風機を運転させて衣類を乾燥させる乾燥運転を行っている。
この種の浴室乾燥装置の制御方法として、使用者が乾燥させたい衣類量の多少により、使用者が衣類が快適な仕上がり状態に乾燥可能な時間を推測し、操作部のダイヤルを回して乾燥時間を設定することにより、衣類乾燥を実施している。また、この設定時間が長い場合は循環用送風機および換気用送風機の回転数を多くして衣類乾燥を実施し、また、設定時間が短い場合は循環用送風機および換気用送風機の回転数を少なくして衣類乾燥を実施するよう、設定された乾燥時間を基準にして制御している。
また、乾燥効率アップを図るため、運転開始から一定時間が経過したら換気量を減少させるよう制御するものが知られている（例えば、特許文献１参照。）。
【０００３】
【特許文献１】
特開平１０−８５４９８号（８頁、第５図）
【０００４】
【発明が解決しようとする課題】
従来の浴室乾燥装置では、使用者が衣類量や季節・天候を考慮し、衣類が快適な仕上がり状態となるように乾燥可能な時間を推測して乾燥時間を設定するため、使用者が設定した乾燥時間が実際に衣類が快適な仕上がり状態となる乾燥時間より長い場合には、必要以上に換気を行うことになり浴室内温度が上がらないため衣類の乾燥においては快適な仕上がり状態となるような衣類乾燥ができず、且つ、不要な電力を消耗することになり非効率的であった。また反対に実際に衣類が快適な仕上がり状態となる乾燥時間より短く乾燥時間を設定した場合には、換気量が不足するため浴室内に湿気が溜まり衣類から水分が蒸発し難くなるため、快適な仕上がり状態となる衣類乾燥運転が図れないといった問題があった。
また、乾燥設定時間を変更可能なだけで、換気量は一定であるため、衣類量が多い場合には換気量が不足し、衣類量が少ない場合には換気量が過剰となる傾向にあった。
また、従来の浴室乾燥装置では、衣類量や季節・天候から衣類がに乾燥可能な時間を判断しなければならず、使用者に取っては煩わしさがあった。
【０００５】
本発明は、上記課題を解決するためになされたもので、本発明の目的は、使用者に取って簡単な設定で、より確実な衣類乾燥が可能で、且つ効率的な衣類乾燥運転が可能な浴室乾燥装置を提供することにある。
【０００６】
【課題を解決するための手段】
上記目的を達成するために請求項１は、浴室内に開口した吸込口から吸込んだ空気を再び浴室内に供給するための循環用送風機と、前記吸込口から吸込んだ空気を加熱させる加熱手段と、前記吸込口から吸込んだ空気を屋外へ排気させるための換気用送風機と、これら送風機および加熱手段を制御する制御部と、該制御部に指示を与える操作部と、を備えた浴室乾燥装置において、外気温度を検知する温度検出手段を備え、前記制御部は、前記温度検出手段から検出された外気温度および前記操作部から指示された衣類量の出力情報により、予め記憶させた外気温度と衣類量に基づき計算された複数の運転テーブルから衣類乾燥に適切な運転テーブルを選択設定し、前記換気用送風機の回転数および運転時間を制御するようにした。
【０００７】
これにより、従来のような推測で設定した乾燥時間と実際に衣類が乾燥する乾燥時間とが異なることにより生じる衣類の不完全乾燥がなくなり、快適に乾燥した衣類を得ることができる。且つ、従来のような設定された乾燥時間の間、不要なモータ回転やヒータ加熱をさせるという電力の無駄が発生していたが、無駄のない効率的な衣類乾燥運転が可能となり、非効率な運転を防ぐことができる。
また、従来のように使用者が衣類等の乾燥物の量だけでなく、更に季節・天候から衣類の乾燥時間を推測し、時間設定しなければならないという煩わしさがなくなる。
【０００８】
【発明の実施の形態】
以下に、本発明の実施の形態を添付図面に基づいて説明する。
【０００９】
図１は、本発明の浴室乾燥装置１が設置された浴室Ａを示す側面図である。
図１において、浴室乾燥装置１は浴室Ａの天井面にその開口部を浴室Ａ内に臨むように設置され、任意の場所に設置された操作部２と通信線３で接続されている。
また、浴室乾燥装置１には、浴室Ａ内の空気を屋外Ｂに排出するためのダクト４が接続されている。
また、浴室乾燥装置１には、屋外Ｂに設置させた外気温度を検出するための温度検出手段５が接続されている。
【００１０】
図２は浴室乾燥装置１の構造を示す断面図である。
図２において浴室乾燥装置１は、モータ１１ｂを駆動することにより循環用送風機１１ａを回転させ、浴室Ａの空気を吸込口１７から吸って循環風路１２と吹出口１６を介して浴室Ａに吹出す循環手段１１と、循環風路１２に設置された加熱手段１３と、モータ１４ｂを駆動することにより換気用送風機１４ａを回転させ、浴室Ａの空気を吸込口１７から吸ってダクト４を介して屋外Ｂに排出する換気手段１４と、操作部２からの指令や温度検出手段５からの情報に基づき、循環手段１１と加熱手段１３と換気手段１４の動作を制御する制御手段１５とからなる。
【００１１】
図３は浴室乾燥装置１を操作するための操作部２を示す正面図である。
図３において、操作部２は、止スイッチ２１と、乾燥スイッチ２２と、涼風スイッチ２３と、暖房スイッチ２４と、換気スイッチ２５と、乾燥する衣類の量を設定するための衣類量設定スイッチ２６と、設定した衣類量を表示する表示部２７とからなる。
【００１２】
図４に浴室乾燥装置１の制御ブロック図を示す。
まず、操作部２からの操作情報は通信線３を通して制御部１５に伝わり、屋外Ｂに設置させた温度検出手段５からの外気温度の温度情報は制御部１５に伝わる。
【００１３】
制御部１５は、使用者が操作部２により涼風スイッチ２３を押した場合には、循環手段１１を作動させ、浴室Ａ内の空気を吸込口１７から吸って吹出し口１６から吹き出して送風するとともに、換気手段１４を作動させ、浴室Ａ内の空気を吸込口１７から吸って屋外Ｂに排出、すなわち換気するように浴室乾燥装置１を運転させている。
【００１４】
また制御部１５は、使用者が暖房スイッチ２４を押した場合には、制御部１５は循環手段１１と加熱手段１３を作動させ、浴室Ａ内の空気を吸込口１７から吸って浴室Ａ内に吹出し口１６から温風を吹出すように浴室乾燥装置１を運転させている。
【００１５】
また制御部１５は、使用者が換気スイッチ２５を押した場合には、制御部１５は換気手段１４を作動させ、浴室Ａ内の空気を吸込口１７から吸って屋外Ｂに排出、すなわち換気するように浴室乾燥装置１を運転させている。
【００１６】
また制御部１５は、使用者が乾燥スイッチ２２を押した場合には、制御部１５は循環手段１１と加熱手段１３を作動させ、浴室Ａ内の空気を吸込口１７から吸って浴室Ａ内に温風を吹出口１６から吹出すとともに、換気手段１４を作動させ、浴室Ａ内の空気を吸込口１７から吸って屋外Ｂに排出、すなわち換気するように浴室乾燥装置１を運転させている。
【００１７】
更に、制御部１５には、図５に示すように、実験により求められた、衣類量の多少の条件と、外気温度の高低条件により作成された複数の運転テーブルが記憶されている。図１１は外気温度が５℃の場合の運転テーブルを示すもので、例えば１５℃、２５℃というように外気温度により複数の運転テ−ブルが記憶されている。
例えば、外気温度が５℃であった場合、図１１に示す外気温度が５℃の運転テーブルが選択され、また衣類量の指示が「多い」場合は、５℃の運転テーブルの「多」に設定された総運転時間が５時間で、初期の換気モータ回転数を２０００ｒｐｍに従い、総運転時間および換気モータの回転を実行させる。
外気温度が５℃で衣類量の指示が「少ない」場合は、５℃の運転テーブルの「少」に設定された、総運転時間が２．２時間で、初期の換気モータ回転数を１４００ｒｐｍに従い、総運転時間および換気モータの回転を実行させる。
外気温度が２５℃であった場合、図示しないが外気温度が５℃の場合と同様に、外気温度が２５℃の運転テーブルが選択され、また衣類量の指示が「多い」場合は、２５℃の運転テーブルの「多」に設定された総運転時間が３時間で、初期の換気モータ回転数を２４００ｒｐｍに従い、総運転時間および換気モータの回転を実行させる。
また同様に、外気温度が５℃で衣類量の指示が「少ない」場合は、２５℃の運転テーブルの「少」に設定された、総運転時間が４５分で、初期の換気モータ回転数を１４００ｒｐｍに従い、総運転時間および換気モータの回転を実行させる。
衣類量は重量により多中少と段階的に別けてもよく、外気温度は勿論５℃、１５℃、２５℃以外にも複数の外気温度で区分した運転テーブルを記憶させてもよい。
【００１８】
使用者が衣類を乾燥させることを目的として乾燥スイッチ２２を押す場合は、衣類量を操作部２に搭載した衣類量設定スイッチ２６で、衣類量を指示する多→少と段階的に別けられたボタンを表示部２７を見ながら設定した場合には、制御部１５では、操作部２からの操作情報および温度検出手段５からの外気温度の温度情報の数値と、記憶された運転テーブルの数値とを演算させて、複数の運転テーブルの内から適切な運転テーブルを選択させ、選択された運転テーブルに沿って、循環手段１１、加熱手段１３および換気手段１４を作動させ、浴室Ａ内の空気を吸込口１７から吸って浴室Ａ内に温風を吹出口１６から吹出すとともに、換気手段１４を作動させ、浴室Ａ内の空気を吸込口１７から吸って屋外Ｂに排出、すなわち換気するように浴室乾燥装置１を運転させている。
【００１９】
尚、これらの運転は、止スイッチ２１を押すことにより停止することもできるし、、止スイッチ２１を押した後ある一定時間が経過したら自動的に停止するようにしてもよい。
【００２０】
以上の構成において、換気手段１４は、浴室Ａ内の空気を吸込口１８から吸って屋外Ｂに排出させるためのファンとそのファンを駆動するためのモータとからなり、ファンは例えばシロッコファンのようなファンが使用される。モータは、衣類量に関する情報や温度検出手段５が検知した外気温度に応じて、制御部１５にて回転数を自動的に変えることで、換気量を変更させている。
また、乾燥運転モードを選択した場合は、一定時間が経過した後、モータの回転数を落として換気量を減少させるよう制御することにより、より効率的に衣類乾燥を行うこともできる。
【００２１】
図９は、衣類量を指定した場合の乾燥運転時の制御フローチャートである。
また図１０は、衣類量が多く、外気温度５℃の場合の、制御部にて設定された運転テーブルに従った換気手段１４、循環手段１２、加熱手段１３の作動を示すタイミングチャートである。
【００２２】
浴室Ａ内で洗濯後の衣類などの乾燥物を乾燥する乾燥運転モードを選択した場合は、使用者が図３に示す乾燥スイッチ２２を押すとともに、衣類量設定スイッチ２６を押して衣類量を設定する。乾燥スイッチＯＮの情報を受けた制御部１５は、操作部２から設定された衣類量に関する情報を得るとともに、温度検出手段５が検知した外気温度に関する情報を受け取り、前記衣類量および外気温度に関する情報から、図５に示すようなあらかじめ制御部１５に記憶させたデータに基づき、運転時間と換気手段１４の回転数を設定し、乾燥運転を開始する。
【００２３】
図１０に示すように、衣類量が多く、外気温度が５℃の場合、換気手段１４を２０００ｒｐｍで、循環手段１１を２０００ｒｐｍで５時間ＯＮするとともに、加熱手段１３を同時間ＯＮする。このとき換気手段１４は、所定時間、例えば３時間経過後から回転数を徐々に下げるよう制御する。
また、衣類量が少なく、外気温度が５℃の場合、換気手段１４を１４００ｒｐｍで、循環手段１１を２０００ｒｐｍで１時間１５分ＯＮするとともに、加熱手段１３を同時間ＯＮする。このとき換気手段１４は、所定時間、例えば４５分経過後から回転数を徐々に下げるよう制御する。
【００２４】
図示しないが、外気温度が１５℃、２５℃の場合も同様にして、制御部１５に記憶させた、外気温度と衣類量に基づく運転テーブルから換気手段１４、循環手段１１、加熱手段１３を所定の回転数で、所定時間ＯＮする。
【００２５】
上記において、換気量を設定するための一実施形態として、モータの回転数を設定する方法について述べたが、他の実施形態として、図６のタイミングチャートに示すように、モータをオン／オフする時間を設定してもよい。即ち、モータの回転数は一定で、例えば１５分オンの後５分オフを繰り返すよう制御し、衣類量が多い場合にはオンする時間を長くするか、あるいはまたオフする時間を短くし、衣類量が少ない場合にはオンする時間を短くするか、あるいはまたオフする時間を長くするよう制御してもよく、モータの回転数を設定すると同様に換気量の調整を行うことができる。
【００２６】
以上のようにして衣類の乾燥運転を行うことにおいて、使用者が衣類量の「多少」を設定するだけで、衣類乾燥に最適な乾燥時間が自動的に設定されるため、快適に乾燥された衣類が得られる。
また、衣類量に応じて換気手段１４の回転数を変えるように制御したので、衣類量が多く、あるいはまた外気温度が高く衣類から浴室Ａ内により多くの湿気が放出される場合には、より多くの換気を行い浴室Ａ内の湿気を排出することで衣類から浴室Ａ内へ水分を蒸発しやすくし、衣類量が少なく、あるいはまた外気温度が低く衣類から浴室Ａ内により少ない湿気しか放出されない場合には、換気をより少なくして浴室内の温度を上げ相対湿度を下げるといった制御を自動的に行うことにより、より効率よく乾燥が行われるため乾燥時間を短くすることができ、使用者が設定した衣類乾燥時間と実際の乾燥時間が異なることにより生じる非効率な運転を防ぐことができる。
また、使用者が衣類量のみならず、季節・天候から衣類が快適な仕上がり状態となるように乾燥可能な時間を判断しなければならないという煩わしさもなくなる。
【００２７】
上述において、制御部１５が衣類量を認識する一実施形態として、使用者が操作部２の衣類量設定スイッチ２６を操作する方法について述べたが、他の実施形態として、図７に示すように、衣類を干すランドリーパイプ４１にかかる質量を質量検知手段４２で検知し、検知した値を制御部１５に伝えるようにしてもよい。
その場合には、使用者が衣類量を設定する必要がなくなり、更に簡単に衣類乾燥を行うことができる。
【００２８】
図８に、他の実施の形態として、吹出口１６の断面図を示す。
図８に示すように、吹出口１６は、吹出す温風の方向を調整する風向調整板３４と、風向調整板３４を動かすためのアーム３２と、アーム３２を動かすためのモータ３１と、モータ３１によるアーム３２の駆動方向を変えるためのカム３３とからなる。
【００２９】
上記構成において乾燥運転モードを選択した場合、操作部２から衣類量に関する情報を受けた制御部１５は、衣類量が多い場合には、モータ３１を駆動させ、風向調整板３４を図８の（ａ）のような方向に向ける。それにより、温風がより広角に吹出すため、衣類全体に風を当てることができる。衣類量が少ない場合には、モータ３１を駆動させ、風向調整板３４を図８の（ｂ）のような方向に向ける。それにより、温風を衣類に集中して風を当てることができるため、より効率的に乾燥運転を行うことができる。
【００３０】
風向調整板３４は、上記のように操作部２からの衣類量に関する情報に基づきモータ３１を駆動させて方向を変えても良いし、使用者が手動で変更する図示しない構成としてもよい。
【００３１】
【発明の効果】
本発明は、上記構成により、より簡単な設定で、衣類量や外気温度に応じてより効率的な乾燥運転を行うのに好適な浴室乾燥装置を提供することができる。
【図面の簡単な説明】
【図１】本発明の浴室乾燥装置が設置された浴室を示す側面図である。
【図２】本発明の浴室乾燥装置の断面図である。
【図３】操作部の一実施形態を示す正面図である。
【図４】本発明の一実施形態を示す制御ブロック図である。
【図５】制御部が記憶している運転時間と回転数の設定値に関する一実施形態である。
【図６】換気量の設定方法に関する他の実施形態である。
【図７】衣類量の検知方法に関する他の実施形態を示す側面図である。
【図８】吹出口１６の断面図である。
【図９】乾燥運転の制御フローチャートに関する一実施形態である。
【図１０】乾燥運転時のタイミングチャートの一実施形態を示す。
【図１１】外気温５℃近傍での運転テーブルを示す。
【符号の説明】
Ａ．．．浴室
Ｂ．．．屋外
１．．．浴室乾燥装置
１１．．．循環手段
１２．．．循環風路
１３．．．加熱手段
１４．．．換気手段
１５．．．制御手段
１６．．．吹出口
１７．．．吸込口
２．．．操作部
２１．．．止スイッチ
２２．．．乾燥スイッチ
２３．．．涼風スイッチ
２４．．．暖房スイッチ
２５．．．換気スイッチ
２６．．．衣類量設定スイッチ
２７．．．表示部
３．．．通信線
３１．．．モータ
３２．．．アーム
３３．．．カム
３４．．．風向調節板
４．．．ダクト
４１．．．ランドリーパイプ
４２．．．質量検知手段
５．．．温度検出手段
【図１】
2004290504.tif 000003
【図２】
2004290504.tif 000004
【図３】
2004290504.tif 000005
【図４】
2004290504.tif 000006
【図５】
2004290504.tif 000007
【図６】
2004290504.tif 000008
【図７】
2004290504.tif 000009
【図８】
2004290504.tif 000010
【図９】
2004290504.tif 000011
【図１０】
2004290504.tif 000012
【図１１】
2004290504.tif 000013